(57)【要約】      （修正有）【課題】簡便な構成により、賞球払出制御に関する不正行為を効果的に抑止する遊技機を提供する。【解決手段】球払出制御装置６２は、分割払出指令手段７４からの指令に応じて払い出されるべき賞球個数の遊技球を分割個数ごとに複数回に分割して払い出すように球払出装置４３の作動を制御し、球払出規制手段７５は、球払出装置４３による各分割個数の遊技球の払い出しの度に、球払出時間計測手段７３により計測される該分割個数分の遊技球の払出時間が、該分割個数に応じて設定される所定の規定時間を超えているか否かを判定し、払出時間が規定時間を超えていると判定したときには、球計数センサ５２において払出個数の計測が完了する前であっても、球払出制御装置６２を介して球払出装置４３による遊技球の払い出しを規制するようになっている。【選択図】図４
2011177441.tif 000002
【特許請求の範囲】
【請求項１】
遊技領域が形成された遊技盤と、
前記遊技領域内に設けられ遊技球が入球可能な入賞口を有する入賞装置と、
前記遊技盤の背面側に取り付けられ遊技球を貯留する球貯留タンクと、
前記球貯留タンクよりも下方に位置して設けられ、遊技球が前記入賞口に入球することに応じて賞球としての遊技球を払い出す球払出装置と、
前記球貯留タンクと前記球払出装置との間を結んで設けられ前記球貯留タンクに貯留された遊技球を整列させて前記球払出装置へ導く案内通路と、
前記案内通路内に遊技球が規定個数だけ整列されているか否かを検出する球有検出器と、
前記球払出装置により払い出された遊技球の払出個数を計測する球計数器と、
前記球払出装置から払い出された遊技球を球皿に導く球払出通路と、
遊技球が前記入賞口に入球したときに遊技球の払い出しを指令する主制御装置と、
前記球有検出器において規定個数の遊技球が検出されている場合に、前記主制御装置からの指令を受けて、該指令に応じた払出個数の遊技球が前記球計数器により計測されるまでの間、前記球払出装置に遊技球の払い出しを実行させる球払出制御装置とを備えて構成される弾球遊技機であって、
前記主制御装置は、前記球払出装置による遊技球の払出時間を計測する球払出時間計測手段と、遊技球が前記入賞口に入球することで払い出される賞球個数を複数に分割した各分割個数として記憶する賞球個数記憶手段と、分割個数ごとに遊技球の払い出しの指令を行う分割払出指令手段と、前記球払出装置の作動を規制する球払出規制手段とを備え、
前記球払出制御装置は、前記分割払出指令手段からの指令に応じて払い出されるべき賞球個数の遊技球を分割個数ごとに複数回に分割して払い出すように前記球払出装置の作動を制御し、
前記球払出規制手段は、前記球払出装置による各分割個数の遊技球の払い出しの度に、前記球払出時間計測手段により計測される該分割個数分の遊技球の払出時間が、該分割個数に応じて設定される所定の規定時間を超えているか否かを判定し、払出時間が規定時間を超えていると判定したときには、前記球計数器において払出個数の計測が完了する前であっても、前記球払出制御装置を介して前記球払出装置による遊技球の払い出しを規制することを特徴とする弾球遊技機。
【請求項２】
前記球払出規制手段が、前記球払出装置による各分割個数の遊技球の払い出しの際に、該分割個数分の遊技球の払出時間が規定時間を超えていないと判定した場合であっても、該分割個数分の遊技球の払出時間として適正である適正時間を超えていると判定した場合には、次回からの各分割賞球個数の遊技球の払い出しの際に適用される規定時間を所定時間だけ減算することを特徴とする請求項１に記載の弾球遊技機。
【請求項３】
前記球払出規制手段が、前記球払出装置による各分割個数の遊技球の払い出しの際に、該分割個数分の遊技球の払出時間が規定時間を超えていないと判定した場合であっても、該分割個数分の遊技球の払出時間として適正である適正時間を超えていると判定した場合には、適正時間を超えていると判定した回数をカウント値として計測し、該カウント値が予め設定された上限値を超えたときに、前記球払出制御装置を介して前記球払出装置による遊技球の払い出しを規制することを特徴とする請求項１に記載の弾球遊技機。
【発明の詳細な説明】
【技術分野】
【０００１】
本発明は、パチンコ機等の弾球遊技機に関し、特には、不正な電波等を利用して多量の賞球を払い出させる賞球払出制御に関する不正行為を防止するように構成した弾球遊技機に関する。
【背景技術】
【０００２】
弾球遊技機の代表例であるパチンコ機には、遊技盤の背後に裏セット盤と称される機構セット盤が開閉自在に設けられ、この裏セット盤に、遊技盤における入賞状態に応じて遊技球を払い出す球払出装置が設けられている。球払出装置の上方には、多数の遊技球を貯留する球貯留タンクや、この球貯留タンクに貯留された遊技球を整列させて球払出装置へ
導く案内通路が設けられ、球払出装置の下方には、この球払出装置から払い出された遊技球をパチンコ機前面の球皿に導く球払出通路が形成されるとともに、球払出装置から払い出された遊技球の個数をカウントするための球計数センサや、球払出装置の作動を制御する球払出制御装置が設けられて球払出制御機構が構成されている。
【０００３】
球払出制御装置は、パチンコ機の作動を統括的に制御する主制御装置から送出される払出指令コマンドを受信すると、球払出装置を作動させて遊技球の払い出しを開始させ、球計数センサからの検出情報に基づいて払い出された遊技球の実数をカウントして賞球個数に係る目標値と比較することで、該払出指令コマンドの要求に対応した個数の遊技球を賞球として球皿に払い出すことが可能になっている（例えば、特許文献１を参照）。
【先行技術文献】
【特許文献】
【０００４】
【特許文献１】特許第３６９７３８８号
【発明の概要】
【発明が解決しようとする課題】
【０００５】
ところで近年において、電波発信機により不正な電波を発信して球計数センサを無効化（遊技球を正常に検出できないように）することで、正当な賞球個数を超える多数の遊技球を払い出させる、所謂電波ゴトと称される不正行為が頻発している。遊技機メーカ各社においても、このような不正行為を早期に発見するべく、不正な電波を検知するための電波検知器等を装備したパチンコ機が種々開発されているが、電波検知器を適切な位置に配置することはレイアウトの問題により困難になる場合も多く、更に電波検知器の他にも回路や電気部品などが増えてしまうため、その結果、部品点数やコストの増大を招来してしまうという問題がある。
【０００６】
本発明は、このような課題に鑑みてなされたものであり、簡便な構成により、賞球払出制御に関する不正行為を効果的に抑止することが可能な構成の弾球遊技機を提供することを目的とする。
【課題を解決するための手段】
【０００７】
このような目的達成のために、本発明に係る弾球遊技機は、遊技領域が形成された遊技盤と、遊技領域内に設けられ遊技球が入球可能な入賞口を有する入賞装置（例えば、実施形態における入賞具２３，２４，２５）と、遊技盤の背面側に取り付けられ遊技球を貯留する球貯留タンクと、球貯留タンクよりも下方に位置して設けられ、遊技球が前記入賞口に入球することに応じて賞球としての遊技球を払い出す球払出装置と、球貯留タンクと球払出装置との間を結んで設けられ球貯留タンクに貯留された遊技球を整列させて球払出装置へ導く案内通路と、案内通路内に遊技球が規定個数だけ整列されているか否かを検出する球有検出器（例えば、実施形態における球有検出センサ５１）と、球払出装置により払い出された遊技球の払出個数を計測する球計数器（例えば、実施形態における球計数センサ５２）と、球払出装置から払い出された遊技球を球皿に導く球払出通路と、遊技球が入賞口に入球したときに遊技球の払い出しを指令する主制御装置と、球有検出器において規定個数の遊技球が検出されている場合に、主制御装置からの指令を受けて、該指令に応じた払出個数の遊技球が球計数器により計測されるまでの間、球払出装置に遊技球の払い出しを実行させる球払出制御装置とを備えて構成される。そして、主制御装置は、球払出装置による遊技球の払出時間を計測する球払出時間計測手段と、遊技球が入賞口に入球することで払い出される賞球個数を複数に分割した各分割個数として記憶する賞球個数記憶手段と、分割個数ごとに遊技球の払い出しの指令を行う分割払出指令手段と、球払出装置の作動を規制する球払出規制手段とを備え、球払出制御装置は、分割払出指令手段からの指令に応じて払い出されるべき賞球個数の遊技球を分割個数ごとに複数回に分割して払い出すように球払出装置の作動を制御し、球払出規制手段は、球払出装置による各分割個数の遊技球の払い出しの度に、球払出時間計測手段により計測される該分割個数分の遊技球の払出時間が、該分割個数に応じて設定される所定の規定時間を超えているか否かを判定し、払出時間が規定時間を超えていると判定したときには、球計数器において払出個数の計測が完了する前であっても、球払出制御装置を介して球払出装置による遊技球の払い出しを規制するようになっている。
【０００８】
また、上述の発明において、球払出規制手段が、球払出装置による各分割個数の遊技球の払い出しの際に、該分割個数分の遊技球の払出時間が規定時間を超えていないと判定した場合であっても、該分割個数分の遊技球の払出時間として適正である適正時間を超えていると判定した場合には、次回からの各分割賞球個数の遊技球の払い出しの際に適用される規定時間を所定時間だけ減算することが好ましい。
【０００９】
なお、上述の発明において、球払出規制手段が、球払出装置による各分割個数の遊技球の払い出しの際に、該分割個数分の遊技球の払出時間が規定時間を超えていないと判定した場合であっても、該分割個数分の遊技球の払出時間として適正である適正時間を超えていると判定した場合には、適正時間を超えていると判定した回数をカウント値として計測し、該カウント値が予め設定された上限値を超えたときに、球払出制御装置を介して球払出装置による遊技球の払い出しを規制する構成でもよい。
【発明の効果】
【００１０】
本発明に係る弾球遊技機によれば、遊技球が入賞した場合に、この入賞条件に応じた賞球個数を複数のブロックに分割して分割個数ごとに賞球の払出時間を監視し、この払出時間が所定の規定時間を超えたときに異常であると断定して、球計数器において払出個数の計測が完了する前であっても、遊技球の払い出しを強制的に停止させる制御を実行する構成であるため、所謂電波ゴトなどによって球計数センサの計数値が無効化された場合においても、不正な賞球の払い出しを最小限に留めることができ、不正行為による被害を抑制することが可能である。また、従来構成の弾球遊技機に対してソフトウェアのみを一部変更するだけの簡便な構成であるため、部品点数や製造コストの増大を防止しつつ、賞球払出制御に関する不正行為の抑止を実現することができる。
【００１１】
また、上述の発明において、分割個数の払出時間が規定時間内であっても適正時間を経過しているときに、賞球の払い出しに対する不正行為の介在を予見して、次回からの分割個数の払い出しの際に適用される規定時間を厳しく規定していく構成とすることで、不正行為をより確実に検知して、異常判定の信頼性を向上させることが可能になる。
【００１２】
さらに、上述の発明において、分割個数の払出時間が規定時間内であっても適正時間を経過しているときに、賞球の払い出しに対する不正行為の介在を予見して、払出時間が適正時間を経過した回数（カウント値）が規定値に達したことをもって不正行為を断定する構成とすることで、不正行為をより確実に検知して、異常判定の信頼性を向上させることが可能になる。
【図面の簡単な説明】
【００１３】
【図１】本発明を適用した弾球遊技機の一例として示すパチンコ機の正面図である。
【図２】上記パチンコ機の背面図である。
【図３】主制御装置および球払出制御装置による球払出制御処理を示すフローチャートである。
【図４】主制御装置および球払出制御装置の制御形態を主として示すブロック図である。
【図５】主制御装置および球払出制御装置による分割個数の球払出制御処理を示すフローチャートである。
【図６】主制御装置および球払出制御装置による分割個数の球払出制御処理の第１の変形例を示すフローチャートである。
【図７】主制御装置および球払出制御装置による分割個数の球払出制御処理の第２の変形例を示すフローチャートである。
【発明を実施するための最良の形態】
【００１４】
以下、本発明の好ましい実施形態について図面を参照して説明する。本発明に係る弾球遊技機の代表例としてパチンコ機ＰＭの正面図および背面図を図１および図２に示しており、先ず、これら両図を参照してパチンコ機ＰＭの全体構成について概要説明する。
【００１５】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３により前方に横開き開閉および着脱が可能に取り付けられ、正面右側に設けられた施錠装置４を利用して常には外枠１と係合連結された閉止状態に保持される。
【００１６】
前枠２の前面側上部には、ガラス扉５が前方に横開き開閉および着脱可能に取り付けられ、正面右側に設けられた施錠装置４を利用して常には前枠２の前面を覆う閉止状態に保持される。ガラス扉５の背後に位置する前枠上部には、遊技盤２０を着脱可能に収容する収容枠が設けられており、この収容枠に立設姿勢で係止保持された遊技盤２０がガラス扉５を通して視認されるようになっている。
【００１７】
遊技盤２０は、所定板厚の積層合板の表面にセルを貼り付けてルータ加工した化粧板２１を基板とし、前面側に内外の案内レール２２が円弧状に固設されて略円形の遊技領域ＰＡが区画形成される。遊技領域ＰＡには、多数本の遊技釘とともに風車や各種の入賞具２３，２４，２５、遊技の展開状況に応じた図柄を表示させる図柄表示装置２７、左右のサイドランプなどの遊技構成部品が取り付けられ、遊技領域ＰＡの下端部にアウト口２８が形成されている。化粧板２１の裏面側には中央部に図柄表示装置２７の作動を制御する図柄表示制御装置６７が取り付けられ、その周囲には各入賞具に落入して化粧板２１の裏面側に導かれたセーフ球、およびアウト口２８を通って化粧板２１の裏面側に導かれたアウト球（これらをまとめて「遊技済み球」と称する）を、化粧板２１の背面に沿って裏セット盤３０の遊技済み球排出通路に導く球寄せカバー２９が取り付けされている。
【００１８】
前枠２の表側中間部には、遊技補助盤と称される補助機構部が設けられるとともに、その前方に上球皿６が前方に横開き開閉および着脱可能に取り付けられ、正面右側に設けられた球皿施錠装置を利用して常には遊技補助盤の前面を覆う閉止状態に保持される。上球皿６の下側には、下球皿７が前方に突出して取り付けられその右側に遊技球の発射操作を行う発射ハンドル８が取り付けられている。前枠２の裏面下部には遊技球発射装置９が取り付けられており、遊技補助盤には遊技球発射装置９のハンマーに叩打された遊技球をガイドして外レールに向けて発射させる発射レール、遊技の展開状況に応じた効果音を発生させるスピーカなどが設けられている。
【００１９】
一方、前枠２の後面側には、裏セット盤３０が前枠２の後方に横開き開閉および着脱可能に取り付けられ、常には遊技盤２０の裏面を覆う閉止状態に保持されている。裏セット盤３０は、中央部に遊技盤２０の図柄表示制御装置６７を受容する窓口３２を有して外枠１の内寸サイズよりも幾分小さめの方形枠状に形成された基枠体３１をベースとして構成される。
【００２０】
基枠体３１は、表裏に遊技済み球排出通路や球払出制御機構の球通路、球抜き通路等が立体的に形成された前後二層構造になっており、基枠体３１を前後に仕切る支持面の前面側に主として遊技盤２０の裏面側に排出された遊技済み球を集合させて遊技島の回収装置に導く遊技済み回収通路および球抜き通路が、支持面の後面側に主として遊技球を払い出す球払出制御機構４０が形成されている。
【００２１】
また、基枠体３１の裏面各部には、パチンコ機ＰＭの作動を統括的に制御する主制御装置６１や、遊技球の払い出し作動を制御する球払出制御装置６２、効果照明や効果音の作動制御を行うランプ・音声制御装置６３、各制御装置や電子部品に電力を供給する電源ユニット６４、遊技施設側と信号や電力の入出力を行うターミナル基板６５等の各種制御装置や回路基板、球払出装置４３等の電子部品が取り付けられ、これらが図示しないコネクタケーブルで接続されてパチンコ機ＰＭが作動可能に構成される。
【００２２】
パチンコ機ＰＭは、上球皿６およびガラス扉５が閉止施錠された状態で遊技に供され、上球皿６に遊技球を貯留させて発射ハンドル８が回動操作することにより遊技が開始される。発射ハンドル８が回動操作されると、上球皿６に貯留された遊技球がこの上球皿６の背面に装着された球送り装置によって１球ずつ発射レールに送り出され、遊技球発射装置９のハンマーに打ち出されて遊技領域ＰＡに発射され、以降パチンコゲームが展開される。
【００２３】
さて、このように概要構成されるパチンコ機ＰＭにあって、遊技領域ＰＡに発射された遊技球が各入賞具に落入したときの遊技球の払い出し処理について、関連する各部の構成をもう少し詳しく説明する。遊技盤に設けられる入賞具には、その外観意匠や入賞時の動作を含めて種々の形態のものがあり、ゲージ設定に応じてどのような形態の入賞具を用いるものであってもよいが、例えば図１に例示した遊技盤２０では、一般入賞具２３、始動入賞具２４、大入賞具２５の３種類の入賞具を設けた例を示している。
【００２４】
一般入賞具２３は、遊技球が落入可能な入賞口を有する固定入賞具であり、入賞口の内部に遊技球を検出する入賞球検出センサ２３ｓが取り付けされている。一般入賞具２３の後部には落入したセーフ球を化粧板２１の裏面側に導くセーフ球誘導路が設けられており、一般入賞具２３に落入したセーフ球は入賞球検出センサ２３ｓに検出され、セーフ球誘導路および球寄せカバー２９を通って基枠体３１前面側の遊技済み球排出通路に受け止められ、この球排出通路を流下して遊技島の回収装置に排出される。
【００２５】
始動入賞具２４は、いわゆる電動チューリップ型の可動入賞具であり、左右のチューリップ羽根を開閉させて入賞口を拡大・縮小変化させることができる。始動入賞具２４の後部には入賞したセーフ球を化粧板２１の裏面側に導くセーフ球誘導路が設けられるとともに、この誘導路を流下する遊技球を検出する入賞球検出センサ２４ｓが取り付けられており、始動入賞具２４に入賞したセーフ球が入賞球検出センサ２４ｓに検出され、セーフ球誘導路、球寄席カバー２９、遊技済み球排出通路を流下して遊技島の回収装置に排出される。
【００２６】
大入賞具２５は、いわゆるアタッカー型の可動入賞具であり、横長方形状の大入賞口を覆う開閉扉が開閉可能に取り付けられている。開閉扉は通常閉止されており、遊技中における所定の入賞条件の下で特別遊技状態が成立したときに、開閉扉の上部が前方にほぼ９０度倒されて大入賞口が開放される。大入賞口の内部には左右二つの領域開口が設けられて各々に入賞球検出センサ２５ｓ，２５ｔが設けられるとともに、大入賞具２５の後側に上記二つの領域開口に繋がって化粧板２１を貫通する二つのセーフ球誘導路が設けられており、大入賞口に落入したセーフ球はいずれかの領域開口を通って入賞球検出センサ２５ｓ，２５ｔに検出され、セーフ球誘導路、球寄せカバー２９、遊技済み球排出通路を流下して遊技島の回収装置に排出される。
【００２７】
入賞球検出センサ２３ｓ，２４ｓ，２５ｓ，２５ｔの検出信号は主制御装置６１に出力されており（図４を参照）、主制御装置６１は入力された検出信号に基づいてパチンコ機ＰＭの作動を統括的に制御する。例えば、始動入賞具（入賞口）２４に遊技球が落入して入賞球検出センサ２４ｓから入賞検出信号が出力されると、主制御装置６１はこの入力信号から、遊技球が入賞具に落入したこと、および入賞した入賞具が始動入賞具２４であることを検知し、この入賞条件に応じた遊技プログラムを呼び出して実行する。具体的には、主制御装置６１内で図柄の組み合わせ抽選を行うとともに、図柄表示制御装置６７に抽選結果を出力して図柄表示装置２７に表示させる図柄を変動および停止制御させ、停止図柄の組み合わせに応じた作動、例えばランプ・音声制御装置６３を介してサイドランプの点滅表示やスピーカによる効果音の発生等を行わせる。また、球払出制御装置６２に対して入賞条件に応じた払出指令コマンドを出力して、球払出装置４３を作動させ遊技球の払い出し作動を行わせる。
【００２８】
一方、常には遊技盤２０の背後に位置して閉止保持される裏セット盤３０に、遊技球の払い出し作動を行う球払出制御機構４０が設けられている。球払出制御機構４０は、基枠体３１の左上部に取り付けられた遊技球を貯留する球貯留タンク４１、球貯留タンク４１の下方に位置して設けられ遊技球の払い出しを行う球払出装置４３、球貯留タンク４１と球払出装置４３との間を結んで設けられ球貯留タンク４１に貯留された遊技球を整列させて球払出装置４３へ導く案内通路４２、球払出装置４３の下方に設けられて球払出装置４３から払い出された遊技球を上下の球皿６，７に導く球払出通路４４、基枠体３１の背面下部に設けられて球払出装置４３の作動を制御する上述の球払出制御装置６２などから構成されている。
【００２９】
球貯留タンク４１は、上面開放の箱形状をなし、このタンク内部に500〜800個程度の遊技球を貯留可能になっている。球貯留タンク４１の底面は緩く左傾および前傾して形成され左前方には上下連通する開口部が形成されて下方の案内通路４２に繋がっている。案内通路４２は、球貯留タンク４１から供給された遊技球を流下させる過程で整列させる整列通路（タンクレール）４２ａと、この整列通路４２ａで整列された遊技球を受けて下方の球払出装置４３に導く待機通路４２ｂとから構成される。待通通路４２ｂの上部には、遊技球の払い出しを行い得る充分な遊技球が待機通路４２ｂに保持されているか否かを検出するための球有検出センサ５１が着脱可能に取り付けられている。
【００３０】
球払出装置４３には、上部中央の前後に待機通路４２ｂと連絡して遊技球を受容する受容口、下部の左右に遊技球を払い出す払出口が形成されるとともに、そのケース内部には前後二段のインペラを有する球送り回転体４３ａと、球送り回転体４３ａを回転させる球払出モータ４３ｂとが設けられている。受容口から供給された遊技球は、球送り回転体４３ａの回動に伴って前後のインペラの受容溝に交互に受け入れられ、球送り回転体４３ａの回動により右または左のカセット内通路に１個ずつ移動され、左右いずれかの払出口から球払出通路４４に払い出される。球払出装置４３の払出口と球払出通路４４との間には、球払出装置４３によって払い出された遊技球を検出してその実数を計数するための球計数センサ（カウントセンサ）５２が係脱可能に設けられている。
【００３１】
ここで、パチンコ機ＰＭにおける球払出制御に関して主制御装置６１および球払出制御装置６２の実行する処理について、図３に示すフローチャートを追加参照しながら概要説明する。
【００３２】
主制御装置６１は、遊技球が入賞口のいずれかに落入すると、対応する入賞球検出センサから送出される入賞検出信号に基づいて、該入賞具への遊技球の入賞を判定する（ステップＳ１０１）。
【００３３】
主制御装置６１は、遊技球が入賞具に入賞したときに、この入賞条件に応じた遊技球の賞球情報に関する払出個数指令コマンドを球払出制御装置６２に対して送信する（ステップＳ１０２）。ここで、払出個数指令コマンドは、入賞に対して払い出すべき遊技球の個数（賞球個数）に関する情報を含むコマンドであり、例えば、一般入賞具２３への入賞時には１０個、始動入賞具２４への入賞時には３個、大入賞具２５への入賞時には１３個の賞球個数を指定するコマンドである。
【００３４】
球払出制御装置６２は、払出個数指令コマンドを受信した際に、このコマンドの受信を完了した旨を示す受信完了コマンドを主制御装置６１に対して返信する（ステップＳ１０３）とともに、受信した払出個数指令コマンドの内容に基づいて払い出すべき賞球個数を自身の内部メモリに設定保存する（ステップＳ１０４）。
【００３５】
主制御装置６１は、受信完了コマンドを受け取ると、今度は払出開始指令コマンドを球払出制御装置６２に対して送信する（ステップＳ１０５）。ここで、払出開始指令コマンドは、球払出制御機構４０に対して遊技球の払い出しの作動開始を指示する情報を含むコマンドである。
【００３６】
球払出制御装置６２は、払出開始指令コマンドを受信した際に、このコマンドの受信を完了した旨を示す受信完了コマンドを主制御装置６１に返信する（ステップＳ１０６）とともに、払出個数および払出開始指令コマンド（以下、これら両コマンドを合わせて「払出指令コマンド」と称する）の内容に従って球払出装置４３を制御して、賞球の払出作動を実行させる（ステップＳ１０７）。
【００３７】
球払出制御装置６２は、球払出装置４３を作動させている期間内は、賞球の払い出しを実行中である旨を示すオン信号（HIレベル信号）を主制御装置６１に対して出力する（ステップＳ１０８）。
【００３８】
このとき、球払出制御装置６２は、主制御装置６１からの払出指令コマンドに従って、球払出装置４３の球払出モータ４３ｂを作動させ、球送り回転体４３ａを時計廻りまたは反時計廻りに所要の回転角度分だけ回転させて、入賞条件に応じた個数の遊技球を賞球として払出口から球払出通路４４に払い出す（ステップＳ１０９）。払出口から払い出された遊技球は、球計数センサ５２により通過が検出され、球払出制御装置６２は球計数センサから入力された検出信号に基づいて、球払出装置４３によって払い出された遊技球の個数をカウントして、自身の内部メモリに保存した賞球個数に係る目標値と比較し、球払出装置４３の作動を制御する。これにより、主制御装置６１から入力される払出指令コマンドに応じた賞球個数の遊技球が球払出通路４４に正確に払い出され、この球払出通路４４を転動流下して上球皿６または下球皿７に払い出される。
【００３９】
なお、案内通路４２に設けられた球有検出センサ５１は、この球有検出センサ５１が配設された待機通路４２ｂの上部位置まで遊技球が整列待機されているか否かを検出することで、遊技球の払い出しを不足なく行い得る個数（例えば２５球程度）の遊技球が保持されているか否かを判定するためのセンサであり、その検出信号が球払出制御装置６２に出力されている。球払出制御装置６２は、球有検出センサ５２から入力された検出信号が球無し状態（つまり、２５球だけ待機されていない状態）を示すものであるときに、球払出装置４３の作動を規制して所定のアラームを発生させる。
【００４０】
球払出制御装置６２は、主制御装置６１からの払出指令コマンドに基づいて入賞条件に応じた賞球個数の遊技球の払い出しを完了したときに、遊技球の払い出しを完了した旨を示すオフ信号（LOWレベル信号）を主制御装置６１に対して送信する（ステップＳ１１０）。以上により、入賞条件に応じた賞球個数（正確な個数）の遊技球を払い出すことが可能になっている。
【００４１】
なお、プリペイドカードユニット９０が接続された所謂ＣＲ機では、上球皿６の前面側に球貸要求ボタンを有するＣＲ操作パネル９２が設けられて、その出力信号が球払出制御装置６２に入力されており、球払出制御装置６２は、ＣＲ操作パネル９２から入力された球貸要求信号に応じたモータ駆動信号を球払出装置４３に出力し、球払出装置４３は入力されたモータ駆動信号に基づいて球払出モータ４３ｂを作動させ、球送り回転体４３ａを反時計廻りまたは時計廻りに所要の角度だけ回転させ、モータ駆動信号に対応する個数の遊技球を左または右の払出口から球払出通路４４に払い出すようになっている。
【００４２】
ところで近年では、電波発信器を用いて特殊電波により球計数センサ５２の作動を無効化（遊技球を正常に検出できないように）することで、球払出制御機構４０に対して正当な賞球数を超える多数の遊技球の払い出しを行わせる不正行為（一般に「電波ゴト」と称されている）が頻発しており、本実施形態のパチンコ機ＰＭでは、このような電波ゴトによる不正な遊技球の払い出しを抑止するために、球払出制御機構４０および主制御装置６１の内部回路を主体として、不正防止装置が構成されている。
【００４３】
それでは、この不正防止装置について図４を追加参照しながら説明する。なお、図４は、主制御装置６１および球払出制御装置６２の制御形態を主として示すブロック図である。
【００４４】
主制御装置６１は、遊技球が入賞口に入球することで該入賞条件に応じて払い出される賞球個数を複数に分割した各分割個数として設定する賞球分割処理手段７１と、各分割個数を記憶する賞球個数記憶手段７２と、球払出装置４３による各分割個数分の遊技球の払出時間を計測する球払出時間計測手段７３と、分割個数ごとに遊技球の払い出しの指令を行う分割払出指令手段７４と、球払出装置４３の作動を規制する球払出規制手段７５とを備えている。
【００４５】
賞球分割処理手段７１は、遊技球が入賞具のいずれかに入賞する度に、主制御装置６１の内部メモリに設定記憶された賞球個数テーブル（不図示）から該入賞条件に応じた賞球個数を読み込んで、この賞球個数の全数を複数のブロックに分割した分割個数として決定する。従って、本実施形態では、賞球個数の全数を各分割個数として複数のブロックに分割して、各ブロックの分割個数ごとに順次払い出すようになっている。このとき、賞球個数の全数を、各分割個数が均等になるように分割しても、各分割個数が不均等になるように分割するようにしてもよい。例えば、入賞条件に応じた賞球個数の全数を「１個、Ｍ個、１個、Ｎ個」となるように４つのブロックに分割して、その払い出しの順番を１個→Ｍ個→１個→Ｎ個として設定するのが、好ましい態様の一つである。なお、賞球個数をあまりに多数のブロックで分割すると、その分だけ賞球の払い出しに時間が掛かってしまうため、パチンコ機ＰＭの運用に適合させた数のブロックで分割するのが望ましい。
【００４６】
賞球個数記憶手段７２は、賞球分割処理手段７１により決定された賞球の各分割個数を、その払い出しの順番と対応付けて一時記憶する。なお、前述した主制御装置６１の賞球個数テーブルに、この賞球個数記憶手段７２の機能を具備させて構成してもよい。
【００４７】
球払出時間計測手段７３は、賞球の払い出しを指令するための払出開始指令コマンドが球払出制御装置６２に対して送信されたときに、自身の内蔵タイマによってタイムカウントを開始し、球払出制御装置６２から送信される遊技球の払い出しを完了した旨を示すオフ信号を受信したときにタイムカウントを終了して、この間の実時間を賞球の払出時間として計時する。このようにして球払出時間計測手段７３は、分割個数ごとに遊技球の払出時間を各々計時するようになっている。
【００４８】
分割払出指令手段７４は、賞球個数記憶手段７２に記憶された分割個数の情報に基づいて、この分割個数に関する情報を含む払出指令コマンド（払出個数指令コマンド、払出開始指令コマンド）を球払出制御装置６２に対して順次送信して、球払出制御装置６２に各分割個数分の遊技球の払出制御を次々と実行させる。
【００４９】
球払出規制手段７５は、各分割個数分の遊技球が払い出される際に、球払出時間計測手段７３による計時時間（払出時間）と該分割個数に応じて予め設定される所定の規定時間とを比較して、この計時時間が所定の規定時間を超えているか否かを判定する。規定時間としては、例えば該分割個数分の遊技球を正常に払い出すための適正時間に対して異常を想起できる一定時間を付加した時間が設定され、分割個数の多少に応じて適宜変更して適用される。よって、分割個数に応じて規定時間は異なり、例えば、分割個数５個のときの規定時間は、分割個数１個のときの規定時間の約５倍となる。球払出規制手段７５は、計時時間が規定時間を超えたことを判定したとき、球計数センサ５２において払出個数の計測が完了する前であっても、遊技球の払い出しを停止させる旨の球払出停止コマンドを球払出制御装置に対して送信し、所定の異常報知処理として、球払出装置４３による遊技球の払出作動を強制的に停止させる。このため、不正行為により球計数センサ５２の計数値が無効化されている場合であっても、賞球の払い出しを的確に抑止することができる。
【００５０】
その他にも、異常報知を実行する手段としては、種々の形態があるが、その代表例として、パチンコ機ＰＭ自身において所定の警報を報知する自機警報手段（図示せず）、パチンコ機ＰＭの外部に警報を報知する外部警報手段（図示せず）、パチンコ機ＰＭの所定の作動を規制する作動規制手段（図示せず）などが例示され、上記のように賞球の払い出しを強制的に停止させるとともに、これらの手段を複合的に作動させることが可能である。
【００５１】
自機警報手段は、例えばパチンコ機ＰＭの図柄表示装置２７に所定の警報画像を表示させたり、遊技盤２０に設けられたサイドランプを全点滅させたり、スピーカから警報音を発生させるように構成することができる。また、外部警報手段は、ターミナル基板６５を介して遊技施設側に警報信号を出力し、例えば遊技島の警報表示灯を点滅させたり、遊技施設のホールコンピュータにアラーム表示を点滅させたりするように構成することができる。作動規制手段は、遊技球発射装置９による発射作動を規制し、あるいは特別遊技の実行を停止させるように構成することができる。
【００５２】
次に、このように構成される不正防止装置の作動について、図５に示すフローチャートを追加参照して説明する。この不正防止装置において実行される処理では、遊技球が入賞具のいずれかに入賞し、且つ、球有検出センサ５１が球有状態を検出していることを契機としてスタートするようになっており、ここでは遊技球が大入賞具（アタッカー）２５に入賞した場合を例示する。なお、通常の球払出制御に関しては図３を用いて既述しているので、以降では同様の処理については簡略して説明する。
【００５３】
主制御装置６１は、遊技球が大入賞具２５の入賞口に落入すると、この入賞球検出センサ２５ｓ，２５ｔから送出される入賞検出信号に基づいて大入賞具２５への入賞を判定する。主制御装置６１の賞球分割処理手段７１は、内部メモリに設定記憶された賞球個数テーブルからこの入賞条件に応じた賞球個数（払出個数）を読み込んで、賞球個数の全数を複数のブロックに分割した分割個数として、賞球個数記憶手段７２に一時記憶させる（ステップＳ２０１）。例えば、大入賞具２５への入賞賞球として計１３個の遊技球が払い出される場合には、この１３個の賞球個数を４分割（１個、５個、１個、６個）して、各々を分割個数として定義し、１回目の払出時に分割個数として１個、２回目の払出時に分割個数として５個、３回目の払出時に分割個数として１個、４回目の払出時に分割個数として６個の遊技球を順次払い出すように設定する。このように、先ず１回目の払出時に分割個数を１個としたのは不正行為に対する被害を最小限に抑えるためであり、２回目の払出時に複数個（Ｍ＝５個）としたのは１回目の賞球１個に対するチェックのみでは異常判定の信頼性が低いことに鑑みて中間チェックとしての機能を持たせるためであり、このように１〜４回目の払出時において「１個→複数個」の払出のチェックを繰り返すことで、被害の抑制とともに異常判定を高い精度で実行することが可能になる。
【００５４】
主制御装置６１の分割払出指令手段７４は、賞球個数記憶手段７２に設定記憶された分割個数（まず始めに初回の分割個数：１個）に関する情報を含む払出指令コマンド（払出個数指令コマンド、払出開始指令コマンド）を球払出制御装置６２に対して送信し、この分割個数に係る賞球の払出指令を行う（ステップＳ２０２）。分割払出処理手段７４において上記の払出指令コマンドが送信されるのと同時に、主制御装置６１の球払出時間計測手段７３は、初回の分割個数に係る払出時間の計時を開始する。なおこのとき、図５においては図示省略しているが、球払出制御装置６２は、主制御装置６１から払出指令コマンド（払出個数指令コマンドおよび払出開始指令コマンド）を受信した際に、各々のコマンドの受信を完了した旨を示す受信完了コマンドを主制御装置に対して返信する。
【００５５】
球払出制御装置６２は、払出指令コマンドの内容に従って球払出装置４３を制御して賞球の払出作動を開始させ（ステップＳ２０３）、球払出装置４３により賞球の払出処理を行っている期間中は、賞球の払い出しを実行中である旨を示すオン信号を主制御装置６１に対して出力する（ステップＳ２０４）。
【００５６】
主制御装置６１の球払出規制手段７５は、球払出時間計測手段７３による計時時間が該分割個数に応じて予め設定される所定の規定時間を超えているか否かを判定する（ステップＳ２０５）。このステップＳ２０５において、球払出規制手段７５は、この計時時間が規定時間を超えていると判定したとき、ステップＳ２０６に移行して、球払出制御装置６２に対して球払出停止コマンドを送信し、球計数センサ５２において払出個数の計測が完了する前であっても、異常報知処理として、球払出装置４３による遊技球の払出作動を強制的に停止させるとともに、自機警報手段などを複合的に作動させることが可能である。
【００５７】
一方、球払出規制手段７５は、球払出時間計測手段７３による計時時間が所定の規定時間を超えていないと判定したとき、球払出制御装置６２から送信される球払出装置４３の払出状態を示すオン・オフ信号に基づいて、球払出装置４３において初回時の分割個数分の賞球の払い出しが終了したか否かを判定する（ステップＳ２０７）。球払出制御装置６２からオン信号が入力されている場合には、このステップＳ２０７において否定判定がなされ、ステップＳ２０５に戻って、ステップＳ２０５〜Ｓ２０７の判定が繰り返される。
【００５８】
このとき球払出制御装置６２は、球計数センサ５２から入力された検出信号に基づいて球払出装置４３により払い出された遊技球の実数をカウントして、自身の内部メモリに設定保存した各回の分割個数に係る目標値に達したときに、この分割個数に係る賞球の払い出しを完了した旨を示すオフ信号を主制御装置６１に対して送信する（ステップＳ２０８）。球払出規制手段７５は、球払出制御装置６２から上記オフ信号を受信すると、ステップＳ２０７において、分割個数分（１回分）の賞球の払い出しが完了したことを判定し、球払出時間計測手段７３はタイムカウントを終了してこの間に計時された実時間を該分割個数分の払出時間として自身の内部メモリに設定し、次のステップＳ２１３に移行する。
【００５９】
ステップＳ２１３において、主制御装置６１は、各回の分割個数の払い出しを全て完了したか否か、すなわち計４回全ての分割個数の払い出しを完了したか否かを判定する。具体的には、各分割個数の払い出しが完了する度にフラグをオンしたり、球計数センサ５２からの検出信号に基づいて各回の払出個数を積算したり、あるいはコマンドの送受信回数をカウントするなどの手段により、各回全ての分割個数の払い出しが完了したか否かの判断を行うことができる。このステップＳ２１３において、各回全ての分割個数の払い出しが完了していない場合（例えば、初回の払い出しのみが完了している場合）には否定判定がなされてステップＳ２０２に戻り、次回の分割個数（例えば、２回目以降の５個→１個→６個）に係る賞球の払い出しに関して、このステップＳ２０２からの処理が実行される。この場合においても、次回以降の分割個数の払出の際に、ステップＳ２０５において球払出計測手段７３による計時時間が規定時間を超えているか否かが判定され、この計時時間が規定時間を超えていると判定された時点で、ステップＳ２０６に移行して上述した異常報知処理が実行されることになる。
【００６０】
これに対して、ステップＳ２１３において、各回全て（計４回）の分割個数に係る賞球の払い出しが完了していると判定されると、すなわち、賞球個数（１３個）の全数が正当に払い出されたことが判定されると、このフローを終了して、パチンコゲームにおいて新たに遊技球が入賞具のいずれかに入賞したときに、再びステップＳ２０１からの処理が実行される。
【００６１】
以上のように構成される本実施形態に係るパチンコ機ＰＭでは、遊技球が入賞した場合に、この入賞条件に応じた賞球個数を複数のブロックに分割して分割個数ごとに賞球の払出時間を監視し、この払出時間が所定の規定時間を超えたときに異常であると断定して、球計数センサ５２において払出個数の計測が完了する前であっても、遊技球の払い出しを強制的に停止させる制御を実行する構成であるため、所謂電波ゴトなどによって球計数センサの計数値が無効化された場合においても、不正な賞球の払い出しを最小限に留めることができ、不正行為による被害を抑制することが可能である。また、従来構成のパチンコ機に対してソフトウェアのみを一部変更するだけの簡便な構成であるため、部品点数や製造コストの増大を防止しつつ、賞球払出制御に関する不正行為（電波ゴト）を効果的に抑止することができる。
【００６２】
なお、上述の実施形態においては、球払出時間計測手段７３により計測される計時時間（払出時間）が規定時間を超えたときにのみ異常であると断定する構成であったが、本発明の範囲はこれに限定されるものではなく、不正行為に対する抑止効果を更に確実にするために、該分割個数分の遊技球の払出時間が規定時間内であっても適正時間を超えている場合には異常の可能性を予見して、詳細は後述する一連の処理によって異常を断定する構成としてもよく、図６および図７の各々にその具体的な処理方法の一例を示している。なお、これら図６および図７において、ステップＳ２０１〜Ｓ２０７，Ｓ２１３の処理については記述した図５での処理と同様であるため重複説明を回避して、その後の処理についてのみ詳細説明することとする。
【００６３】
まず、第１の変形例として図６に示すように、ステップＳ２０５において球払出計測手段７３による計時時間が所定の規定時間を超えていないと判定され、ステップＳ２０７において分割個数分の賞球の払い出しが終了したと判定されると、次のステップＳ２０９において、主制御装置６１の球払出規制手段７５は、球払出時間計測手段７３により計時された該分割個数分の払出時間が適正時間を超えているか否かを判定する。ここで、適正時間としては、該分割個数分の遊技球を正常に払い出すための正常払出時間をベースとして所定時間分のマージン（予備値）を加算してなる時間が例示され、分割個数に応じてこの適正時間も適宜変更して適用される。例えば、遊技球１個分の正常払出時間を２０[msec]とした場合には、これにマージンとして３０[msec]を加算した５０[msec]を分割個数が１個のときの適正時間として設定し、分割個数が複数個となる場合にはこの５０[msec]にその個数分だけ乗算することで、該複数個分の適正時間が算出される。
【００６４】
このステップＳ２０９において、球払出規制手段７５によって分割個数の払出時間が適正時間内であると判定されると、ステップＳ２１３に移行する。一方、分割個数の払出時間が適正時間を超えていると判定され、このステップＳ２０９で肯定判定がなされると、次のステップＳ２１０に移行する。
【００６５】
ステップＳ２１０において、主制御装置６１の球払出規制手段７５は、次回の分割個数の払出時に適用される規定時間を所定時間だけ減算して、計時時間に対する警戒レベルを１段階だけ引き上げる。例えば、今回のステップＳ２０５の処理で適用された分割個数１球に対する規定時間が８０[msec]であったとき、次回適用される分割個数１球に対する規定時間を５[msec]だけ減算した７５[msec]と規定し、これに基づいて球数に応じた規定時間を次回のステップＳ２０５における処理に適用する。なお、次回以降の処理においても、払出時間が適正時間を超えていると判定されると、更に警戒レベルが１段階ずつ引き上げられて規定時間が減算（例えば、規定時間＝７５−５＝７０[msec]）されていく。このように払出時間が規定時間内であっても適正時間を超過している場合（グレーゾーンにある場合）には異常である可能性が高いため、次回以降の判定基準（規定時間）をより厳しく設定していくことで、異常判定の精度を高めることができる。
【００６６】
ステップＳ２１３において、主制御装置６１は、複数回（４回）全ての各分割個数の払い出しが終了していないと判定すると、ステップＳ２０２に戻って次回以降の分割個数の払出処理を開始する。このとき、前のステップＳ２１０において規定時間が減算されていた場合には、ステップＳ２０５ではこの規定時間が適用されて、球払出計測手段７３による計時時間が規定時間を超えているか否かの判定がなされる。
【００６７】
一方、ステップＳ２１３において、主制御装置６１の分割払出指令手段７４は、複数回（４回分）全ての分割個数に係る賞球の払い出しが完了していると判定すると、すなわち、賞球個数の全数が正当に払い出されたことが判定されると、このフローを終了して、新たに遊技球が入賞具のいずれかに入賞したときに、ステップＳ２０１からの処理が始めから実行される。
【００６８】
このような第１の変形例による構成では、上述の実施形態と同様の効果が得られるのであるが、この構成によれば更に、分割個数の払出時間が規定時間内であっても適正時間を経過しているときに、賞球の払い出しに対する不正行為の介在を予見して、次回からの分割個数の払い出しの際に適用される規定時間を厳しくしていくことで、不正行為をより確実に検知して、異常判定の信頼性を向上させることが可能になる。
【００６９】
次に、図７に第２の変形例として示すように、ステップＳ２０５において計時時間が規定時間を超えていないと判定され、ステップＳ２０７において分割個数の払い出しの終了が判定されると、次のステップＳ２０９において、主制御装置６１の球払出規制手段７５は、球払出時間計測手段７３により計時された該分割個数分の払出時間が適正時間を超えているか否かを判定する。
【００７０】
このステップＳ２０９において、球払出規制手段７５によって分割個数の払出時間が適正時間内であると判定されると、ステップＳ２１２に移行する。一方、分割個数の払出時間が適正時間を超えていると判定され、このステップＳ２０９で肯定判定がなされると、次のステップＳ２１１に移行する。
【００７１】
ステップＳ２１１において、球払出規制手段７５は、球払出時間計測手段７３により計時された払出時間が適正時間を超えていると判定した回数（ステップＳ２０９で肯定判定した回数）をカウント値として計測する。
【００７２】
ステップＳ２１２において、球払出規制手段７５は、上記カウント値が予め設定された規定値に達したか否かを判定する。例えば、規定値を「３」に設定した場合、計４回の各分割個数の払い出しにおいて、カウント値が「３」を示したとき、すなわち、ステップＳ２０９での肯定判定が３回なされたときに、ステップＳ２０６へ移行して上述した異常報知処理が実行される。一方、計４回の各分割個数の払い出しにおいて、カウント値が「０〜２」を示しているときには、ステップＳ２１２に進み、各分割個数の払い出しが終了していないと判定されると、ステップＳ２０２に戻って次回以降の分割個数の払出処理を開始する。
【００７３】
一方、ステップＳ２１３において、分割払出指令手段７０４が、各回全て（計４回）の分割個数に係る賞球の払い出しが完了していると判定すると、すなわち、賞球個数の全数が正当に払い出されたことを判定すると、このフローを終了して、新たに遊技球が入賞具のいずれかに入賞したときに、再びステップＳ２０１からの処理が始めから実行される。
【００７４】
このような第２の変形例による構成では、上述の実施形態と同様の効果が得られるのであるが、この構成によれば更に、分割個数の払出時間が規定時間内であっても適正時間を経過しているときに、賞球の払い出しに対する不正行為の介在を予見して、払出時間が適正時間を経過した回数（カウント値）が規定値に達したことをもって不正行為を断定する構成であるため、不正行為をより確実に検知して、異常判定の信頼性を向上させることが可能になる。
【００７５】
これまで本発明の好ましい実施形態について説明してきたが、本発明の範囲はこれに限定されるものではない。例えば、球有検出センサ５１および球計数センサ５２については、遊技球を検出可能な検出器である限り特に限定されず、例えば、磁気センサや光センサ、近接スイッチ等の非接触動作型でも、マイクロスイッチのような接触動作型でもよい。
【００７６】
また、上述の実施形態に対する２つの変形例として図６および図７を参照して説明したが、これら変形例を組み合わせた形態で構成してもよい。具体的には、ステップＳ２０９において、払出時間が適正時間を超えていると判定されたときに、規定時間を減算して（ステップＳ２１０）ステップＳ２０５での判定基準を厳しくするとともに、ステップＳ２０９での肯定判定の回数をカウントアップして（ステップＳ２１１）、このカウント値が規定数に達したときに、異常報知処理を実行（ステップＳ２０６）するように構成してもよい。
【００７７】
なお、以上説明した実施形態では、本発明に係る弾球遊技機の一例として、パチンコ機を例示して説明したが、これに限定されるものではなく、例えば、アレンジボール、雀球遊技機などについても同様に適用し、同様の効果を得ることができるものである。
【符号の説明】
【００７８】
ＰＭ  パチンコ機（弾球遊技機）
ＰＡ  遊技領域
６  上球皿（球皿）
７  下球皿（球皿）
２０  遊技盤
２３  一般入賞具（入賞装置）
２４  始動入賞具（入賞装置）
２５  大入賞具（入賞装置）
４１  球貯留タンク
４２  案内通路
４３  球払出装置
４４  球排出通路
５１  球有検出センサ（球有検出器）
５２  球計数センサ（球計数器）
６１  主制御装置
６２  球払出制御装置
７２  賞球個数記憶手段
７３  球払出時間計測手段
７４  分割払出指令手段
７５  球払出規制手段
【図１】
2011177441.tif 000003
【図２】
2011177441.tif 000004
【図３】
2011177441.tif 000005
【図４】
2011177441.tif 000006
【図５】
2011177441.tif 000007
【図６】
2011177441.tif 000008
【図７】
2011177441.tif 000009